(57)【要約】【課題】きつく閉まったペットボトルのネジ式キャップを開けるとき、力の弱い老人や子ども、指先の不自由な人は簡単に開けることが出来ない問題がある。【解決手段】厚さ２〜４ｍｍの円盤状硬質板からなる本体１の外周に１ヶ所乃至数カ所の指掛部４を延設し、板の中央部分にはペットボトルのネジ式キャップの外径に対応した内径の円形穴２をあけ、この円形穴２の内周面にはキャップのローレット部分に対応する滑り止め部３が部分的に断続して３ヶ所設けられていて、この部分がキャップのローレット部分に合致し、さらに、加圧によりローレット部分に食い込んで通常のキャップは勿論のこと、使い古したキャップでも滑ることなく、指掛部４の部分を操作することで、てこの原理が作用して軽い力で簡単に回してキャップを開けることができる。【選択図】図１
2009126517.tif 000002
【特許請求の範囲】
【請求項１】
厚さ２〜４ｍｍの円盤状硬質板からなる本体（１）の外周に１ヶ所乃至数カ所の指掛部（４）を延設し、板の中央部分にはペットボトルのネジ式キャップの外径に対応した内径の円形穴（２）をあけ、この穴（２）の内周面にはキャップのローレット部分に対応する滑り止め部（３）が断続して部分的に複数箇所、穴の中心に向けて突出するように形成されていることを特徴とする瓶のキャップ開閉補助具。
【請求項２】
上記滑り止め部（３）は、キャップのローレット部分のピッチに合致し、この補助具をキャップに押しつけたとき、上記ローレット部分に食い込むギザギザ状の突起群からなる請求項１記載の瓶のキャップ開閉補助具。
【請求項３】
本体（１）の片面又は両面には文字または図形が刻印されていることを特徴とする請求項１又は２記載の瓶のキャップ開閉補助具。
【発明の詳細な説明】
【技術分野】
【０００１】
本発明は、きつく閉まったネジ式キャップをもつ瓶、たとえばポリエチレンテレフタレート製のボトル（以下ペットボトルという）のキャップを容易に開け閉めするための補助具、いわゆるキャップオープナーに関するものである。
【背景技術】
【０００２】
多種ある瓶、中でもペットボトルは世界中で広く使われているが、力の弱い老人や子ども、指先の不自由な人にはそのネジ式キャップを容易に開けることが出来ない場合が多い。
【０００３】
この改善策として、キャップにベルトを巻き付けたりして開ける装置は考案されているが、手間がかかることとコストが高くなってしまうという問題があった。また、ペットボトルのキャップの溝に合致するようにローレット状のギザギザ部を内周面のすべてに設けたオープナーもあるが、ペットボトルのキャップの縦溝の間隔は海外製や、国内のメーカ間でも微妙に異なっているので、オープナーのローレット状のギザギザ部にピッタリ嵌らないキャップでは、滑りを生じて上手く回せない。さらに、たとえ縦溝の間隔が一致しても長期間使用し、縦溝がすり減ってしまったキャップの場合、ギザギザ部が咬み込まなく滑ってしまい、開かないことがある。また縦溝の部分の長さを長くして、キャップに接触する面積を大きくしたものもあるが、ペットボトルのキャップは微妙に中央部分が膨らんでいるので縦溝の長さ全てにわたって、キャップのローレット部分に咬み合うことはなく、さらに、補助具としての厚みも増大することから無意味であるし、持ち運びをする場合邪魔になってしまう。また、缶のタブを開封する部分をつけたものもあるが、持ち運びしにくいし、デザインの面からも好ましいものではなかった。
【特許文献１】実用新案登録  第３０６５５３９号
【発明の開示】
【発明が解決しようとする課題】
【０００４】
本発明は上記問題点を解決するためになされたものであり、硬く閉まったネジ式キャップをもつ瓶、例えばペットボトルのキャップに簡単に装着が出来、使い古したペットボトルのキャップに対してもキャップの外周に食い込むことにより滑ることなく、さらにコストも安く、また持ち運んでも邪魔にならないキャップ開閉補助具を提供するものである。これに加えて本体表面に文字、図形等をレーザ加工機等で刻印することにより、デザインもよく、使用の都度宣伝効果を発揮活用出来るものである。
【課題を解決するための手段】
【０００５】
請求項１記載の瓶のキャップ開閉補助具は、厚さ２〜４ｍｍの円盤状硬質板からなる本体１の外周に１ヶ所乃至数カ所の指掛部４を延設し、板の中央部分にはペットボトルのネジ式キャップの外径に対応した内径の円形穴２をあけ、この円形穴２の内周面にはキャップのローレット部分に対応する滑り止め部３が部分的に断続して設けられ、その間の部分にはペットボトルのネジ式キャップの外径より数ミリ大きい内径の滑り止め部が無い所を設けたことを特徴とする。
【０００６】
請求項２記載の瓶のキャップ開閉補助具は、上記滑り止め部３が、キャップのローレット部分のピッチに合致し、この補助具をキャップに押し付けたとき、上記ローレット部分に食い込む突起群があることを特徴とする。
【０００７】
請求項３記載の瓶のキャップ開閉補助具は、その本体の片面又は両面に文字、または図形（商標）等を刻印したものであり、レーザー加工機等を用い本体に直接刻印することを特徴とする。
【０００８】
本発明でいう硬質の板とはプラスチック、木、金属板等であり、なかでも硬質アクリル板は丈夫で加工しやすいし、彫刻をしても見栄えがする。
【０００９】
本発明の円形の穴の円周面に設ける滑り止め部（３）の形状としては、ペットボトルのキャップのローレット部分に合致するために、半円をつなぎ合わせた突起形状群でも、三角をつなぎ合わせた突起形状群でもよいが、その突起形状群の尖端は、ペットボトルのキャップに食い込ませるために尖っている必要があるが、指が触れても怪我をしない程度に尖っている方が好ましい。
【００１０】
本発明でいう指掛部（４）は開けやすい形状のものであればどのような形状でもよく、例えば、丸みを持った出っ張りが１ヶ所であってもよいし数箇所設けてもよい。
【００１１】
さらに滑り止め部（３）は穴の内周全て設けずに、離して数カ所に設けてある。それは突起群を全周に設けると、長期間使用したペットボトルのキャップがすり減ったり変形している時に、嵌める事が出来ないことがあるからである。またペットボトルのキャップに食い込ませる時に全周を嵌め合わせなければならないために、余計な力が必要になるために好ましくない。
【００１２】
また本体に文字または図形を刻印することがデザイン上良好で、その形成方法は通常用いるどんな方法でもよいが、レーザー加工機を用いて本体に直接刻印するのが作業性、効率等から好ましい。
【発明の効果】
【００１３】
本発明のキャップ開閉補助具は上記のような構成をしているので、これをボトルのキャップのローレット部分に合致させて、キャップと共に左方向(反時計方向)に回せば、キャップを容易に開けることができる。
【００１４】
さらに本発明のキャップ開閉補助具の円形穴の形状はペットボトルのキャップに合った形状をしているだけでなく、ペットボトルのキャップに食い込むように半円または、三角型をつなぎ合わせた突起形状群を穴の内周に数カ所に分けて設置しているので、使い古したペットボトルのキャップでも、キャップに食い込むため、滑ることなく、容易に開けることができる。
【００１５】
また本発明のキャップ開閉補助具は、文字または図形を本体に刻印しているのでデザイン効果が高く、レーザー加工機を使いて本体に刻印すれば、シールや印刷の場合に比べて、耐久性も良好で水や、傷で剥がれたり、消えたりすることがない。
【発明を実施するための最良の形態】
【００１６】
以下本発明の実施例につき図面を用いて説明する。
オープナー本体１の材質としては、例えば、ペットボトルのポリプロピレン製のネジ式キャップよりも硬い材質、例えば、ポリアクリルニトリル樹脂の板（以下アクリル板という）を用い、その形状は厚さ約３ｍｍで直径約４０ｍｍの円盤状の板の中心部に直径約３０ｍｍの円形穴２を開け、その内周部に直径約１ｍｍの半円を１０個山谷部が交互になるように、つなぎ合わせたギザギザ状の滑り止め部３を１２０°間隔で３ヶ所設けた。そして本体１の周縁から外側に延設した形状で１５ｍｍの突出長をもった指掛部４を等間隔に３ヶ所設けた。なお、ここでは、直径約１ｍｍの半円としたが、１辺が約１ｍｍの三角形でもよい。
このオープナーの３ヶ所の滑り止め部３とローレット部をペットボトルのキャップのローレット部分にはめ合わせ、３ヶ所の指掛部４に指をかけて左方向（反時計方向）に回すと、てこの原理が作用して少ない力で補助具を回してキャップを外すことが出来る。また、一部のペットボトルのローレット部分のピッチが異なっているキャップや、繰り返し使用されてローレット部分がすり減ってしまったキャップ等に対しても、オープナー本体の円形穴２をキャップに強く押し込むことにより３ヶ所の滑り止め部３の山がローレット部分がすり減ってしまったキャップに食い込むため、補助具とペットボトルのキャップは一体化して確実に回して開けることが出来る。
このオープナー補助具を使ってキャップをはずしたあとは、そのままの状態で再度キャップをボトルに付けて閉めることも出来るし、そのキャップを再使用しない時は固く閉まった状態から少し回した時にオープナー本体を上に持ち上げることによりキャップを簡単にオープナーから取り外すことができる。
なお、この実施例では、材質としてアクリル板を用いたが、固い樹脂とは、これに限らず強化プラスチックや、カーボンファイバーを組み込んだような硬質の樹脂でもよく、さらに高コストとなるが、ステンレス鋼等の金属板であってもよい。
【産業上の利用可能性】
【００１７】
本発明ではペットボトルオープナーとしてこれ単独で販売するだけでなく、本体の一部に文字や、図形（商標）等を刻印した瓶のキャップ開閉補助具としてペットボトルに添付した状態で売ることによって、販売促進グッズとして大量に販売出来る。
【図面の簡単な説明】
【００１８】
【図１】本発明の実施の一例を示す説明図である。
【符号の説明】
【００１９】
１  本体
２  穴
３  滑り止め部
４  指掛部
【図１】
2009126517.tif 000003